(57)【要約】【課題】リユース性を高めて環境負荷の軽減を図ることができ、異なる仕様の遊技機に配設可能な遊技機の遊技部品を提供する。【解決手段】板状部材に取り付けられる枠状装飾体２９の取付板部４５,５１に、通用装飾部品４２,４３,４４が着脱自在に取り付けられる。枠状装飾体２９に設けた装飾部５９、第１取付板部４５および通用装飾部品４２,４３の裏側に、固定ボス６０,６２,６４が突設される。装飾部５９および第１取付板部４５に設けた固定ボス６０,６２に、後側から特定装飾部品６５,６８が着脱自在に取り付けられる。通用装飾部品４２,４３に設けた固定ボス６４に、後側から特定装飾部品７１,７４が着脱自在に取り付けられる。特定装飾部品６５,６８,７１,７４を取り付けた状態と取り付けていない状態での枠状装飾体２９のデザインが変わり、仕様の違いを識別できる。【選択図】図１２
2015119860.tif 000002
【特許請求の範囲】
【請求項１】
遊技球が流下する遊技領域が前側に設けられた板状部材に着脱自在に配設される遊技機の遊技部品であって、
前記板状部材に着脱自在に取り付けられる本体と、
前記本体に設けられ、該本体を板状部材に取り付けた状態で前側から視認可能な装飾部と、
前記装飾部の後側に設けられて該装飾部で隠されており、装飾部品を前側から視認可能な状態で後側から着脱自在に取り付け可能な固定部とを備え、
前記固定部に装飾部品を取り付けていない遊技部品を板状部材に取り付けることで、当該板状部材を備える遊技機が第１仕様の遊技機であることが認識可能となると共に、
前記装飾部品を前側から視認可能な状態で前記固定部に取り付けた遊技部品を板状部材に取り付けることで、当該板状部材を備える遊技機が第２仕様の遊技機であることが認識可能となる
ことを特徴とする遊技機の遊技部品。
【請求項２】
前記装飾部は、前記装飾部品に設けられた位置決め部に整合する形状に形成されて、該装飾部に位置決め部を整合して位置決めされた装飾部品が前記固定部に取り付けられるよう構成した請求項１記載の遊技機の遊技部品。
【請求項３】
前記本体に、前記装飾部品に設けられた複数の位置決め部の夫々が整合する装飾部が複数設けられている請求項２記載の遊技機の遊技部品。
【請求項４】
前記板状部材の裏側に配設された図柄表示装置の表示部を前側に臨ませる開口部が前記本体に形成され、前記装飾部は、前記本体から開口部側に延出するように設けられている請求項１〜３の何れか一項に記載の遊技機の遊技部品。
【請求項５】
前記本体に着脱自在に取り付けられて遊技部品の意匠の一部を構成する通用装飾部品の後側に、装飾部品を前側から視認可能な状態で後側から着脱自在に取り付け可能な固定部が設けられている請求項１〜４の何れか一項に記載の遊技機の遊技部品。
【発明の詳細な説明】
【技術分野】
【０００１】
この発明は、遊技球が流下する遊技領域が前側に設けられた板状部材に着脱自在に配設される遊技機の遊技部品に関するものである。
【背景技術】
【０００２】
代表的な遊技機であるパチンコ機は、前面に遊技領域が画成された板状部材と、該板状部材の裏側に配設された設置部材とから遊技盤が構成され、板状部材の略中央位置に枠状の装飾体(所謂センター役物)が配設されると共に、設置部材に複数の図柄を変動表示して図柄変動演出を行う液晶式やドラム式等の図柄表示装置が配設されて、該図柄表示装置の表示部を枠状装飾体の開口部に後方から臨ませて、該開口部を介して表示部で実行される演出を前側から視認可能に構成されている。また、板状部材における枠状装飾体の下方位置に、パチンコ球(遊技球)の入賞により図柄表示装置での変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂大当りが発生し、前記特別入賞装置が開放して多数の賞球を獲得し得るよう構成される。
【０００３】
また、パチンコ機では、板状部材や枠状装飾体に、装飾効果を向上するための各種の装飾部品が配設されている(例えば、特許文献１参照)。
【先行技術文献】
【特許文献】
【０００４】
【特許文献１】特開平１１−２２２６９８号公報
【発明の開示】
【発明が解決しようとする課題】
【０００５】
近年では、大当り確率等のスペックを異ならせた複数種類のパチンコ機をシリーズで提供する場合がある。例えば、所定の大当り確率に設定された第１仕様のパチンコ機を提供した後に、第１仕様より大当り確率を高く設定した、所謂「甘デジタイプ」(第２仕様)のパチンコ機を提供することが行われている。このように、第１仕様のパチンコ機とは仕様が異なる第２仕様のパチンコ機を製造する場合は、遊技者に認知されている第１仕様のパチンコ機の外観や演出内容を第２仕様のパチンコ機に受け継ぐことで、遊技者が親しみ易いように構成される。
【０００６】
また近年は、環境負荷の軽減を図る観点から遊技に利用された部品を有効利用することが試みられている。特に、前述したように仕様が異なっても外観や演出内容を受け継がせるパチンコ機を製造する場合には、パチンコ機の入替え等によって不要となった仕様のパチンコ機に用いられている部品を廃棄処分することなく再利用するリユースが求められている。しかしながら、遊技部品をリユースすることで第１仕様および第２仕様の夫々のパチンコ機のデザインが同一となってしまうと、遊技者がどちらの仕様であるのか戸惑うおそれがある。例えば、第１仕様のパチンコ機の枠状装飾体と第２仕様のパチンコ機の枠状装飾体とが同じデザインであると、遊技者がどちらの仕様のパチンコ機であるのか識別することができず、意図しない仕様のパチンコ機で遊技を行ってしまうことで遊技者に不快感を与える問題がある。このため、仕様の異なるパチンコ機を製造する場合は、パチンコ機の裏側に配設されて前側から見えない遊技部品等については再利用し得るとしても、パチンコ機の前側から見えてデザインに関係する遊技部品については、仕様毎に別々のデザインの部品を用意する必要があり、遊技部品のリユース性が低いものであった。
【０００７】
すなわち本発明は、従来の技術に係る遊技機の遊技部品に内在する前記課題に鑑み、これを好適に解決するべく提案されたものであって、リユース性を高めて環境負荷の軽減を図ることができ、異なる仕様の遊技機に配設可能な遊技機の遊技部品を提供することを目的とする。
【課題を解決するための手段】
【０００８】
前記課題を克服し、所期の目的を達成するため、本願の請求項１に係る発明は、
遊技球が流下する遊技領域(13a)が前側に設けられた板状部材(21)に着脱自在に配設される遊技機の遊技部品であって、
前記板状部材(21)に着脱自在に取り付けられる本体(37,38,39)と、
前記本体(37,38,39)に設けられ、該本体(37,38,39)を板状部材(21)に取り付けた状態で前側から視認可能な装飾部(41,59)と、
前記装飾部(41,59)の後側に設けられて該装飾部(41,59)で隠されており、装飾部品(65,68)を前側から視認可能な状態で後側から着脱自在に取り付け可能な固定部(60,62)とを備え、
前記固定部(60,62)に装飾部品(65,68)を取り付けていない遊技部品(29)を板状部材(21)に取り付けることで、当該板状部材(21)を備える遊技機が第１仕様の遊技機であることが認識可能となると共に、
前記装飾部品(65,68)を前側から視認可能な状態で前記固定部(60)に取り付けた遊技部品(29)を板状部材(21)に取り付けることで、当該板状部材(21)を備える遊技機が第２仕様の遊技機であることが認識可能となることを要旨とする。
【０００９】
請求項１の発明によれば、装飾部品を着脱するだけで遊技部品のデザインを変更することができるので、異なる仕様の遊技機に共通して遊技部品を使用しても仕様の違いを識別させることができ、遊技部品のリユース性が向上する。また、遊技部品を第１仕様の遊技機に使用する場合に、装飾部品が取り付けられていない固定部は装飾部で隠されているので、該固定部によって見栄えが低下することはない。更に、遊技機を第１仕様から第２仕様に変更する際には廃棄する部品が発生することはなく、環境負荷の軽減を図り得る。
【００１０】
請求項２に係る発明では、前記装飾部(59)は、前記装飾部品(65)に設けられた位置決め部(66a)に整合する形状に形成されて、該装飾部(59)に位置決め部(66a)を整合して位置決めされた装飾部品(65)が前記固定部(60)に取り付けられるよう構成したことを要旨とする。
請求項２の発明によれば、装飾部を利用して装飾部品を位置決めすることができる。
【００１１】
請求項３に係る発明では、前記本体(37,38,39)に、前記装飾部品(65)に設けられた複数の位置決め部(66a)の夫々が整合する装飾部(59)が複数設けられていることを要旨とする。
請求項３の発明によれば、装飾部品を、複数の装飾部を利用して安定かつ正しい姿勢で取り付けることができる。
【００１２】
請求項４に係る発明では、前記板状部材(21)の裏側に配設された図柄表示装置(18)の表示部(18a)を前側に臨ませる開口部(29a)が前記本体(37,38,39)に形成され、前記装飾部(59)は、前記本体(37,38,39)から開口部(29a)側に延出するように設けられていることを要旨とする。
請求項４の発明によれば、遊技者が注目する図柄表示装置の表示部を前側に臨ませる開口部側に延出するように装飾部を設けているので、該装飾部の後側に装飾部品が取り付けられている状態と取り付けられていない状態とによって、仕様の違いを確実に認識させることができる。
【００１３】
請求項５に係る発明では、前記本体(37,38,39)に着脱自在に取り付けられて遊技部品(29)の意匠の一部を構成する通用装飾部品(42,43)の後側に、装飾部品(71,74)を前側から視認可能な状態で後側から着脱自在に取り付け可能な固定部(63,64)が設けられていることを要旨とする。
請求項５の発明によれば、本体に取り付けられている通用装飾部品に別の装飾部品を取り付け得るよう構成することで、仕様が異なることをより明確に認識させ得る。
【発明の効果】
【００１４】
本発明に係る遊技機の遊技部品によれば、仕様の違いを識別させ得ると共に、リユース性を高めて環境負荷の軽減を図ることができる。
【図面の簡単な説明】
【００１５】
【図１】実施例に係るパチンコ機を示す正面図である。
【図２】実施例に係る第１仕様の遊技盤を示す正面図である。
【図３】実施例に係る第１仕様の遊技盤、設置部材および図柄表示装置を前側から見た分解斜視図である。
【図４】実施例に係る板状部材と第１仕様の枠状装飾体とを前側から見た分解斜視図である。
【図５】実施例に係る第１仕様の枠状装飾体の正面図である。
【図６】実施例に係る枠状装飾体から通用装飾部品を取り外した状態で示す正面図である。
【図７】実施例に係る第１仕様の枠状装飾体を前側から見た分解斜視図である。
【図８】実施例に係る第１仕様の枠状装飾体を後側から見た分解斜視図である。
【図９】実施例に係る第２仕様の遊技盤を示す正面図である。
【図１０】実施例に係る第２仕様の枠状装飾体の正面図である。
【図１１】実施例に係る第２仕様の枠状装飾体を前側から見た分解斜視図である。
【図１２】実施例に係る第２仕様の枠状装飾体を後側から見た分解斜視図である。
【図１３】実施例に係る遊技盤を第１特定装飾部品が取り付けられる部位で縦断した側面図であって、(ａ)は第１特定装飾部品が取り付けられていない第１仕様を示し、(ｂ)は第１特定装飾部品が取り付けられた第２仕様を示す。
【図１４】実施例に係る遊技盤を第２特定装飾部品が取り付けられる部位で横断した平面図であって、(ａ)は第２特定装飾部品が取り付けられていない第１仕様を示し、(ｂ)は第２特定装飾部品が取り付けられた第２仕様を示す。
【図１５】実施例に係る遊技盤を第３特定装飾部品が取り付けられる部位で横断した平面図であって、(ａ)は第３特定装飾部品が取り付けられていない第１仕様を示し、(ｂ)は第３特定装飾部品が取り付けられた第２仕様を示す。
【発明を実施するための形態】
【００１６】
次に、本発明に係る遊技機の遊技部品につき、好適な実施例を挙げて、添付図面を参照して以下に説明する。なお、実施例では、遊技部品が用いられる遊技機として、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤１３(図２参照)を着脱可能に保持する本体枠としての中枠１２が開閉および着脱可能に組付けられると共に、遊技盤１３の後側に、図柄を変動表示可能な図柄表示装置１８(図３参照)が着脱し得るよう配設されている。また、中枠１２の前面側には、遊技盤１３を透視可能に保護する透明板(透明部材)１４ａを窓部に備えた装飾枠としての前枠１４が開閉可能に組付けられると共に、該前枠１４の下方にパチンコ球を貯留する下球受け皿１６が開閉可能に組付けられる。なお、実施例では、前枠１４の下部位置に、パチンコ球を貯留する上球受け皿１５が一体的に組付けられており、前枠１４の開閉に合わせて上球受け皿１５も一体的に開閉するよう構成される。また実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１８】
前記前枠１４には、図１に示す如く、下球受け皿１６の右側方に、前記中枠１２に配設された打球発射装置(図示せず)を作動する操作ハンドル１７が設けられる。この操作ハンドル１７は、左回転方向に付勢された操作レバー１７ａを備えており、該操作レバー１７ａを右回転するよう遊技者が回動操作することで打球発射装置が作動されて、前記上球受け皿１５に貯留されたパチンコ球が前記遊技盤１３に向けて発射されるようになっている。
【００１９】
(遊技盤１３について)
本実施例では、所定板厚の略矩形状に形成された木材板の表面に各種絵柄等が描かれた合成樹脂シート(図示せず)等を貼付けて装飾した板状部材２１と、該板状部材２１の裏側に着脱自在に取り付けられる設置部材２２とから遊技盤１３が構成されている。板状部材２１の前側には、図２,図３に示す如く、該板状部材２１の表面に配設された盤面保護部材２３およびレール部材２４,２４によって略円形状の遊技領域１３ａが画成され、打球発射装置により発射されたパチンコ球が遊技領域１３ａ内に打ち出されて該遊技領域１３ａを流下するようになっている。また、板状部材２１には、前記遊技領域１３ａ内に多数の遊技釘２５が配設されると共に回転案内部材２６が回転自在に支持されており、遊技釘２５や回転案内部材２６との接触によりパチンコ球の流下方向が不規則に変化するよう構成される。なお、板状部材２１をアクリルやポリカーボネート等の合成樹脂材により光透過性を有するよう形成してもよい。
【００２０】
前記板状部材２１には、図４に示す如く、前後に貫通する装着口２７ａ〜２７ｄが前記遊技領域１３ａ内に複数開設されて、各装着口２７ａ〜２７ｄに対して各種遊技部品が前側から取り付けられるよう構成される。また、遊技領域１３ａの最下部位置には、該遊技領域１３ａに開口するアウト口２８が開設されており、遊技領域１３ａに打ち出されてアウト口２８に入球したパチンコ球が機外に排出されるようになっている。なお、前記装着口２７ａ〜２７ｄの形成数や形成位置は、板状部材２１に対して取り付けられる各種遊技部品の個数や配設位置等により必要に応じて適宜決定される。
【００２１】
前記板状部材２１には、前記遊技領域１３ａの略中央の大部分が開口する第１装着口２７ａに、前後に開口する開口部２９ａが形成された枠状装飾体(遊技部品)２９が取り付けられて、該枠状装飾体２９の開口部２９ａを介して前記図柄表示装置１８の表示部１８ａが板状部材２１(遊技盤１３)の前面側に臨むよう構成される。板状部材２１における第１装着口２７ａ(枠状装飾体２９)の下方に開設された第２装着口２７ｂに、遊技領域１３ａを流下するパチンコ球が入賞可能な始動入賞装置(遊技部品)３０が取り付けられる。また、第１装着口２７ａおよび第２装着口２７ｂの左側方に開設された第３装着口２７ｃに、遊技領域１３ａを流下するパチンコ球が通過可能な球通過ゲート３１およびパチンコ球が入賞可能な普通入賞口が本体３２ａに設けられた第１サイド装飾体(遊技部品)３２が着脱自在に取り付けられる。更に、第１装着口２７ａおよび第２装着口２７ｂの右側方に開設された第４装着口２７ｄに、遊技領域１３ａを流下するパチンコ球が通過可能な球通過ゲート３１と、パチンコ球が入賞可能な普通入賞口および特別入賞装置３３が本体３４ａに設けられた第２サイド装飾体(遊技部品)３４が着脱自在に取り付けられる。
【００２２】
(始動入賞装置３０について)
前記始動入賞装置３０は、前記第２装着口２７ｂに前側から着脱自在に配設される始動口飾り(本体)３５に、始動入賞口３０ａ,３０ｂが上下の位置関係で２つ設けられている(図２参照)。上側に位置する第１始動入賞口３０ａは、遊技領域１３ａ内で常に上方へ開口する常時開放タイプの入賞口とされる。また、下側に位置する第２始動入賞口３０ｂは、始動入賞ソレノイド(図示せず)の駆動に伴って変位する開閉部材３６によって開閉するよう構成される。始動入賞装置３０には、各始動入賞口３０ａ,３０ｂに入賞したパチンコ球を検出する始動入賞検出スイッチ(図示せず)が設けられている。始動入賞検出スイッチは、パチンコ機１０の裏側に配設された制御手段(図示せず)に配線接続されており、該始動入賞検出スイッチによるパチンコ球の検出を契機として制御手段の制御下に所定数の賞球が払い出されるようになっている。また、始動入賞検出スイッチによるパチンコ球の検出を契機として特図当り抽選(大当り判定)が行われるよう構成される。そして、特図当り抽選の結果に基づいて前記図柄表示装置１８において図柄変動演出が実行され、図柄表示装置１８での図柄変動演出の結果、図柄表示装置１８に所定の組み合わせ(例えば同一飾図の３つ揃い等)で飾図が確定停止表示されることで、遊技者に有利な当り遊技(大当り遊技)が付与される。すなわち、当り遊技の発生に伴って前記特別入賞装置３３を所定の開放条件で開放する当り遊技が行われて、遊技者が賞球を獲得し得る機会が与えられるよう構成されている。
【００２３】
(球通過ゲート３１について)
前記各球通過ゲート３１には、該ゲート３１をパチンコ球が通過したことを検知するゲートセンサが配設される。ゲートセンサが接続される前記制御手段は、該ゲートセンサの球検知に基づき前記始動入賞装置３０の開閉部材３６を開放するか否かの始動口開放抽選を行うよう構成されている。そして、始動口開放抽選に当選した場合に、開閉部材３６が制御手段の制御下に開放するよう構成される。
【００２４】
(特別入賞装置３３について)
前記第２サイド装飾体３４に配設される特別入賞装置３３は、図２に示す如く、遊技領域１３ａを流下するパチンコ球が入賞可能な特別入賞口３３ａと、図示しない特別入賞ソレノイドの駆動によって特別入賞口３３ａを開閉する開閉扉(開閉部材)３３ｂとを備える。また特別入賞装置３３には、特別入賞口３３ａに入賞したパチンコ球を検出する特別入賞検出スイッチ(図示せず)が配設されている。特別入賞検出スイッチは前記制御手段に配線接続されており、該特別入賞検出スイッチによるパチンコ球の検出を契機として制御手段の制御下に所定数の賞球が払い出されるようになっている。なお、特別入賞ソレノイドは、前記始動入賞装置３０へのパチンコ球の入賞を契機として特別入賞装置３３を開放する当り遊技(大当り遊技)が付与される場合に、当りの種類に応じた所定の開閉条件に従って制御手段によって駆動制御される。
【００２５】
(枠状装飾体２９について)
前記枠状装飾体２９は、図４,図８,図１３〜図１５に示す如く、前記板状部材２１に開設された第１装着口２７ａの内側に沿って延在する環状に形成された枠状基部３７と、該枠状基部３７に設けられて前記板状部材２１の前面より前方に突出し、前記遊技領域１３ａと図柄表示装置１８の表示部１８ａとを区切る庇状部３８と、枠状基部３７の前縁から外方に延出する薄板状の台板部３９とを備える。そして、前記枠状基部３７を第１装着口２７ａに前側から挿入して台板部３９を板状部材２１の前面に当接した状態で、該台板部３９をネジ等の固定手段で板状部材２１に固定することで、枠状装飾体２９が板状部材２１に取り付けられて、枠状基部３７に形成された開口部２９ａの後側に、前記図柄表示装置１８の表示部１８ａが位置するよう構成される。本実施例では、枠状基部３７、庇状部３８および台板部３９から、板状部材２１に対して着脱自在な本体が構成されている。
【００２６】
前記庇状部３８は、枠状装飾体２９(枠状基部３７)の左側縁の中間位置から上縁および右下縁に亘って連続して延在するよう設けられており、前記図柄表示装置１８の前面側を横切ってパチンコ球が流下(落下)するのを規制している。また庇状部３８は、最上部位置から左右方向に下方傾斜するよう形成されて、遊技領域１３ａに打ち出されたパチンコ球が庇状部３８上で滞ることなく枠状装飾体２９の左側方または右側方へ誘導案内されるよう形成されている。なお、本実施例では、前記庇状部３８は、枠状基部３７に一体に形成された第１庇部３８ａと、後述する通用装飾部品４３,４４に設けられた庇部５３ａ,５５ａとで構成されているが、庇状部３８を構成する全ての庇部を枠状基部３７に一体に形成した構成であってもよい。
【００２７】
前記枠状装飾体２９には、図２〜図６に示す如く、前記枠状基部３７の下枠部(枠状装飾体２９の内周下縁部)に、ステージ４０が配設されると共に、開口部２９ａの左側に、遊技領域１３ａに開口して該遊技領域１３ａを流下するパチンコ球を枠状装飾体２９の内側(ステージ４０)に取り込む球導入部(装飾部)４１が配設されている。球導入部４１には、遊技領域１３ａに球入口が開口すると共にステージ４０の左端部に球出口が開口する球通路が形成されており、遊技領域１３ａから球導入部４１の球通路を介してステージ４０に通出されたパチンコ球は、ステージ４０上を左右に転動した後に、前記各入賞口３０ａ,３０ｂが設けられている遊技領域１３ａに排出されるようになっている。なお、ステージ４０の後端縁には、左右方向の全長に亘って所定高さで立上がる透明な規制壁(図示せず)が設けられ、ステージ４０上を転動するパチンコ球が図柄表示装置１８の表示部１８ａ側に移動するのを該規制壁で防止している。また、前記球導入部４１は、後述する第１取付板部４５の前側に臨むように開口部２９ａ側に延出して配設されると共に、表面には所要の意匠が施されており、該球導入部４１によって後述する窓口２９ｂの開口縁部が装飾される。
【００２８】
(枠状装飾体２９の通用装飾部品４２,４３,４４について)
前記枠状装飾体２９には、図２〜図５に示す如く、各種の意匠が施されて前側から視認可能な複数(実施例では３つ)の通用装飾部品４２,４３,４４が、前記庇状部３８の内側に着脱自在に配設されており、これらの通用装飾部品４２,４３,４４が枠状装飾体２９に施される意匠の一部を構成して全体として統一感のある意匠が表わされるようになっている。また実施例では、通用装飾部品４２,４３,４４、庇状部３８、球導入部４１および規制壁によって前記開口部２９ａの前側に窓口２９ｂが画成されて、該開口部２９ａおよび窓口２９ｂを介して前記図柄表示装置１８の表示部１８ａが前側に臨むよう構成される。３つの通用装飾部品４２,４３,４４を区別する場合は、窓口２９ｂの左側に位置するものを第１通用装飾部品４２と指称し、窓口２９ｂの右側上部に位置するものを第２通用装飾部品４３と指称し、右側下部に位置するものを第３通用装飾部品４４と指称する場合がある。
【００２９】
(第１通用装飾部品４２について)
前記枠状基部３７には、図６〜図８に示す如く、前記開口部２９ａの左側方に臨む位置に、開口部２９ａ側に延出する第１取付板部４５が、前記庇状部３８(第１庇部３８ａ)の前端から後側に離間して設けられると共に(図１４参照)、該第１取付板部４５には前側に突出する複数の第１ボス４６が突設されている。各第１ボス４６には、前側に開口する凹部４６ａが形成されると共に、凹部４６ａの底側に前後方向に貫通する通孔４６ｂが形成されている。
【００３０】
前記第１通用装飾部品４２は、図８,図１４に示す如く、パチンコ機１０のモチーフに関連する意匠が前面に施された第１板状本体４７の裏面に、前記各第１ボス４６と対応する位置において後方に突出する第１取付突部４８が設けられると共に、各第１取付突部４８には後方に開口するネジ孔４８ａが形成されている。また第１板状本体４７には、別体で形成された副装飾品４９が着脱自在に配設されている。副装飾品４９は、前面に所要の意匠が施された装飾板４９ａに、前後方向に貫通する通孔４９ｂが複数穿設されており、各通孔４９ｂに第１取付突部４８を前側から挿通することで、該副装飾品４９が第１板状本体４７の裏側に重なるようにして位置決めされる。なお、第１板状本体４７の裏側に副装飾品４９を重ねた状態で、該副装飾品４９における装飾板４９ａの一部が第１板状本体４７の縁部から突出して、該装飾板４９ａに施された意匠が露出するよう構成される。
【００３１】
実施例では、前記第１通用装飾部品４２の第１板状本体４７は、全体が光透過性に形成されて、該第１板状本体４７の前面に、パチンコ機１０のモチーフとなるキャラクタのロゴや関連する意匠が不透明な塗料により描かれている。また、副装飾品４９の装飾板４９ａは、全体にメッキ処理が施された非透明な部品であって、第１板状本体４７との質感の違いによって装飾効果を向上し得るようになっている。
【００３２】
前記副装飾品４９が第１板状本体４７の裏側に取り付けられた第１通用装飾部品４２は、前記第１取付突部４８の後端を、前記第１取付板部４５の対応する第１ボス４６の凹部４６ａに前側から挿通することで位置決めされる。そして、第１ボス４６の通孔４６ｂに裏側から挿通したネジを第１取付突部４８のネジ孔４８ａに螺挿することで、第１取付板部４５(枠状装飾体２９)に第１通用装飾部品４２が固定される。また、副装飾品４９は、第１板状本体４７と第１ボス４６の前端とで挟持されて位置決め固定される。そして、第１取付板部４５に前側から取り付けられた第１通用装飾部品４２が、遊技盤１３の前側に露出して窓口２９ｂの縁部を装飾するよう構成される(図２,図５参照)。
【００３３】
(第２通用装飾部品４３について)
前記枠状基部３７には、図６〜図８に示す如く、前記開口部２９ａの右側方に臨む位置に、開口部２９ａ側に延出する第２取付板部５１が、その前面を前記台板部３９の前面と同一レベルとなるように設けられると共に、該第２取付板部５１には、後側に突出する複数の第２ボス５２が設けられている。第２取付板部５１には、各第２ボス５２と対応する位置に、前側に開口して第２ボス５２に至る深さの凹部５２ａが形成されると共に、第２ボス５２における凹部５２ａの底側(後側)には前後方向に貫通する通孔５２ｂが形成されている。なお、枠状基部３７において第２取付板部５１が設けられる領域には、前記第１庇部３８ａは設けられていない。
【００３４】
前記第２通用装飾部品４３は、図７,図８に示す如く、パチンコ機１０のモチーフに関連する意匠が前面に施された第２板状本体５３の裏面に、該第２板状本体５３の長手方向の略全長に亘って延在する第２庇部５３ａが突設されると共に、該第２庇部５３ａより開口部２９ａ側に延在する第２板状本体５３の裏面の各第２ボス５２と対応する位置に、後方に突出する第２取付突部５４が設けられている。各第２取付突部５４には、後方に開口するネジ孔５４ａが形成してある。第２板状本体５３は、全体が光透過性に形成されて、該第２板状本体５３の前面に、パチンコ機１０のモチーフとなるキャラクタのロゴや関連する意匠が不透明な塗料により描かれている。
【００３５】
前記第２通用装飾部品４３は、前記第２取付突部５４の後端を、前記第２取付板部５１の対応する凹部５２ａに前側から挿通することで、第２庇部５３ａの後端が第２取付板部５１の前面に当接した状態で位置決めされる。そして、第２ボス５２の通孔５２ｂに裏側から挿通したネジを第２取付突部５４のネジ孔５４ａに螺挿することで、第２取付板部５１(枠状装飾体２９)に第２通用装飾部品４３が固定される。第２通用装飾部品４３の第２庇部５３ａは、前記枠状基部３７に一体に形成されている前記第１庇部３８ａにおける右上端部の開放端に接続されると共に板状部材２１の前面より前方に突出し、該第２庇部５３ａによって前記遊技領域１３ａと図柄表示装置１８の表示部１８ａとが区切られている。すなわち、第２通用装飾部品４３の第２庇部５３ａが、前記庇状部３８の一部を構成している。また、第２取付板部５１に前側から取り付けられた第２通用装飾部品４３が、遊技盤１３の前側に露出して窓口２９ｂの縁部を装飾するよう構成される(図２,図５参照)。
【００３６】
(第３通用装飾部品４４について)
前記第２取付板部５１における第２通用装飾部品４３の配設領域より下側に、図６に示す如く、前方に開口する複数のネジ用通孔５１ａおよび位置決め孔５１ｂが形成されている。前記第３通用装飾部品４４は、図７,図８に示す如く、パチンコ機１０のモチーフに関連する意匠が前面に施された第３板状本体５５の裏面に、該第３板状本体５５の長手方向の略全長に亘って延在する第３庇部５５ａが突設されると共に、該第３庇部５５ａより開口部２９ａ側に延在する第３板状本体５５の裏面の各ネジ用通孔５１ａと対応する位置に、後方に突出する第３取付突部５６が設けられている。各第３取付突部５６には、後方に開口するネジ孔５６ａが形成されている。また第３板状本体５５の裏面には、第２取付板部５１の各位置決め孔５１ｂと対応する位置に、位置決めピン５７が夫々突設されている。実施例では、前記第３通用装飾部品４４の第３板状本体５５は、全体が光透過性に形成されて、該第３板状本体５５の前面に、パチンコ機１０のモチーフとなるキャラクタのロゴや関連する意匠が不透明な塗料により描かれている。
【００３７】
前記第３通用装飾部品４４は、前記位置決めピン５７の後端を、前記第２取付板部５１の位置決め孔５１ｂに前側から挿通することで、前記第３庇部５５ａの後端が第２取付板部５１の前面に当接した状態で位置決めされる。そして、ネジ用通孔５１ａに裏側から挿通したネジを第３取付突部５６のネジ孔５６ａに螺挿することで、第２取付板部５１(枠状装飾体２９)に第３通用装飾部品４４が固定される。第３通用装飾部品４４の第３庇部５５ａは、前記第２庇部５３ａの下端部に接続されると共に板状部材２１の前面より前方に突出し、該第３庇部５５ａによって前記遊技領域１３ａと図柄表示装置１８の表示部１８ａとが区切られている。すなわち、第３通用装飾部品４４の第３庇部５５ａが、前記庇状部３８の一部を構成している。また、第２取付板部５１に前側から取り付けられた第３通用装飾部品４４が、遊技盤１３の前側に露出して窓口２９ｂの縁部を装飾するよう構成される(図２,図５参照)。
【００３８】
本実施例では、第３通用装飾部品４４の上端部に、前後方向に貫通する通孔５８ａが形成された筒状部５８が設けられており、該筒状部５８の通孔５８ａに前記第２通用装飾部品４３の下端部に設けられた第２取付突部５４を前側から挿通することで、両通用装飾部品４３,４４の位置決めがなされるよう構成してある。そして、第２取付突部５４を第２取付板部５１にネジ止めすることで、第３通用装飾部品４４の筒状部５８が第２通用装飾部品４３の第２板状本体５３と第２取付板部５１とで挟持されるようになっている。
【００３９】
(固定ボス６０,６２,６３,６４について)
前記枠状装飾体２９には、後述する特定装飾部品６５,６８,７１,７４が着脱自在に取り付けられる固定ボス(固定部)６０,６２,６３,６４が設けられている。ここで、特定装飾部品６５,６８,７１,７４は、第１仕様のパチンコ機１０に用いられていた枠状装飾体２９を再利用して、該第１仕様とは異なる第２仕様のパチンコ機１０を製造する場合に、該枠状装飾体２９に取り付けることでデザインを変えて第２仕様であることを認識可能とする部品である。実施例では、特定装飾部品６５,６８,７１,７４が取り付けられていない枠状装飾体２９が用いられる遊技盤１３、パチンコ機１０について第１仕様の遊技盤１３、第１仕様のパチンコ機１０と指称し、特定装飾部品６５,６８,７１,７４が取り付けられている枠状装飾体２９が用いられる遊技盤１３、パチンコ機１０について第２仕様の遊技盤１３、第２仕様のパチンコ機１０と指称する場合もある。また、前記板状部材２１に対して着脱自在に配設される枠状装飾体２９は、通用装飾部品４２,４３および特定装飾部品６５,６８,７１,７４が取り付けられた状態で１つのユニットとして取り扱われることから、特定装飾部品６５,６８,７１,７４が取り付けられているものを第１仕様の枠状装飾体２９と指称し、該特定装飾部品６５,６８,７１,７４が取り付けられていないものを第２仕様の枠状装飾体２９と指称する場合もある。
【００４０】
(第１固定ボス６０について)
前記枠状装飾体２９における窓口２９ｂを画成する上側の第１庇部３８ａ(庇状部３８)には、図５〜図８に示す如く、左右方向(庇状部３８の延在方向)に離間して複数の装飾部５９が窓口２９ｂ側(開口部２９ａ側)に突出するように設けられて、各装飾部５９は当該枠状装飾体２９を前記板状部材２１に取り付けた状態で前側から視認し得るようになっている(図２参照)。各装飾部５９は、図１３に示す如く、第１庇部３８ａから垂下する前板５９ａと、該前板５９ａの端縁から後方に延在する側板５９ｂ,５９ｂとから構成されて、後方に開口している。本実施例では、装飾部５９は、前板５９ａが正面視において下側が頂点となる三角形状に形成されると共に、該前板５９ａの左右の側端縁から側板５９ｂが夫々後方に延在するように設けられて、該装飾部５９の外観は三角柱形状になっている。また、各装飾部５９における前板５９ａの裏面に、後方に開口するネジ孔６０ａが形成された第１固定ボス(固定部)６０が後方に向けて突設されている。枠状装飾体２９において装飾部５９(第１固定ボス６０)の後方には、後述する第１特定装飾部品６５の被固定部６７を第１固定ボス６０の後側に位置させ得る空間が画成されている。本実施例では、装飾部５９の後端から第１固定ボス６０が所定長さだけ後方に突出しており、該第１固定ボス６０の後端部が、被固定部６７に設けた凹部６７ｂに嵌合するよう構成している(図１３(ｂ)参照)。なお、本実施例では、前記装飾部５９は光透過性に形成されているが、前記前板５９ａの前面における第１固定ボス６０と対応する位置に、シール等の非透明な装飾物６１が貼着されて、該装飾物６１によって第１固定ボス６０は前側から見えないように隠されている。
【００４１】
(第２固定ボス６２について)
前記第１取付板部４５には、前記第１通用装飾部品４２の取り付け位置より下側の裏面に、図１２に示す如く、後方に開口するネジ孔６２ａが形成された複数の第２固定ボス６２が後方に向けて突設されている。第１取付板部４５に設けられた第２固定ボス６２の後方には、後述する第２特定装飾部品６８の被固定部７０を該第２固定ボス６２の後側に位置させ得る空間が画成されている。なお、本実施例では、第１取付板部４５において、前記ステージ４０へパチンコ球を導入する球導入部４１の配設位置の後側に第２固定ボス６２が位置しており、球導入部４１によって第２固定ボス６２が前側から隠れるようになっている。すなわち、本実施例では、球導入部４１が第２固定ボス(固定部)６２を前側から隠す装飾部として機能している。
【００４２】
(第３固定ボス６３について)
前記第１通用装飾部品４２における第１板状本体４７の裏面および前記副装飾品４９における装飾板４９ａの裏面には、図８に示す如く、後方に開口するネジ孔６３ａが形成された第３固定ボス(固定部)６３が夫々後方に向けて突設されている。各第３固定ボス６３は、図１４に示す如く、第１通用装飾部品４２を第１取付板部４５の前側に取り付けた状態で、該第１取付板部４５と前後方向に重なる位置に設けられると共に、該第３固定ボス６３の後端と第１取付板部４５の前面との間には、後述する第３特定装飾部品７１の被固定部７３が挿入可能な隙間Ｓ１が画成されている。また、第１取付板部４５と第１板状本体４７および装飾板４９ａとの間は、窓口２９ｂ側が全面的に開口しており、第３特定装飾部品７１の被固定部７３を窓口２９ｂ側から前記隙間Ｓ１に挿入可能になっている。更に、第１取付板部４５には、各第３固定ボス６３と対応する位置に前後方向に貫通する工具用通孔４５ａが穿設されており、第１通用装飾部品４２を第１取付板部４５に取り付けた状態で、工具用通孔４５ａを介して第３固定ボス６３のネジ孔６３ａに後側からネジを挿通すると共に、該ネジをドライバ等の工具で螺挿し得るよう構成してある。
【００４３】
前記第１板状本体４７(第１通用装飾部品４２)に設けられる第３固定ボス６３は、該第１板状本体４７の前面に不透明な塗料により描かれた意匠部(不透明部)の裏側に位置するように設けられており、該意匠部によって第３固定ボス６３が隠れて前側から見えないようになっている。また、全体が不透明な装飾板４９ａ(副装飾品４９)に設けられる第３固定ボス６３についても、該第３固定ボス６３は非透明な装飾板４９ａによって隠れて前側から見えないようになっている。すなわち、本実施例では、第１取付板部４５(枠状装飾体２９の本体)に対して着脱自在に取り付けられる第１通用装飾部品４２の第１板状本体４７(意匠部)および副装飾品４９の装飾板４９ａが、第３固定ボス(固定部)６３を前側から見えないように隠す装飾部として機能している。
【００４４】
(第４固定ボス６４について)
前記第２通用装飾部品４３における第２板状本体５３の裏面には、図８に示す如く、後方に開口するネジ孔６４ａが形成された複数の第４固定ボス(固定部)６４が後方に向けて突設されている。各第４固定ボス６４は、図１５に示す如く、第２通用装飾部品４３を第２取付板部５１の前側に取り付けた状態で、該第２取付板部５１と前後方向に重ならない窓口２９ｂ側に偏った位置に設けられて、該第４固定ボス６４の後方には、後述する第４特定装飾部品７４の被固定部７６を該第４固定ボス６４の後側に位置させ得る空間が画成されている。また、第２板状本体５３に対する第４固定ボス６４の突出寸法は、前記第２庇部５３ａの突出寸法より小さく設定されて、該第４固定ボス６４の後側に第４特定装飾部品７４の被固定部７６を固定した状態で、該被固定部７６が第２取付板部５１に干渉しないよう構成される(図１５(ｂ)参照)。
【００４５】
前記第２板状本体５３(第２通用装飾部品４３)に設けられる第４固定ボス６４は、該第２板状本体５３の前面に不透明な塗料により描かれた意匠部(不透明部)の裏側に位置するように設けられており、該意匠部によって第４固定ボス６４が隠れて前側から見えないようになっている。すなわち、本実施例では、第２取付板部５１(枠状装飾体２９の本体)に対して着脱に取り付けられる第２通用装飾部品４３の第２板状本体５３が、第４固定ボス(固定部)６４を前側から見えないように隠す装飾部として機能している。
【００４６】
(特定装飾部品６５,６８,７１,７４について)
前記枠状装飾体２９には、前記固定ボス６０,６２,６３,６４を介して特定装飾部品(装飾部品)６５,６８,７１,７４が着脱自在に取り付けられるよう構成される。そして、特定装飾部品６５,６８,７１,７４が取り付けられていない図５に示す状態(第１仕様)と、該特定装飾部品６５,６８,７１,７４が取り付けられた図１０に示す状態(第２仕様)とでの枠状装飾体２９の外観が異なるよう構成されて、第１仕様と第２仕様との識別が可能になっている。
【００４７】
(第１特定装飾部品６５について)
前記第１固定ボス６０を介して前記庇状部３８に着脱自在に取り付け可能な第１特定装飾部品６５は、図１０,図１１に示す如く、前記第１〜第３通用装飾部品４２,４３,４４とは異なる意匠が前面に施された第１本体部６６における前記各装飾部５９に設けられた第１固定ボス６０と対応する位置に、前後方向に貫通する通孔６７ａが穿設された第１被固定部６７が夫々設けられている。各第１被固定部６７の前部には、通孔６７ａより大径で第１固定ボス６０の後端部が嵌挿可能な凹部６７ｂが、前側に開口するように形成されている。そして、各第１被固定部６７の凹部６７ｂに、対応する第１固定ボス６０の後端部を嵌挿した状態で(図１３(ｂ)参照)、第１被固定部６７の通孔６７ａに裏側から挿通したネジを第１固定ボス６０のネジ孔６０ａに螺挿することで、第１固定ボス６０に対して第１特定装飾部品６５が後側から取り付けられるよう構成される。そして、第１固定ボス６０に取り付けられた第１特定装飾部品６５は、図９,図１０に示す如く、第１本体部６６が前記窓口２９ｂ(開口部２９ａ)側に延出して前側から視認可能に構成されている。
【００４８】
前記第１本体部６６には、図１１に示す如く、前方および一側方(上方)に開口する係合凹部(位置決め部)６６ａが形成されており、該係合凹部６６ａで囲われた領域の後部側に前記第１被固定部６７が設けられている。係合凹部６６ａは、前記装飾部５９に整合する形状に形成されており、該装飾部５９を係合凹部６６ａ内に整合するように位置させることで(図１３(ｂ)参照)、第１被固定部６７の通孔６７ａが第１固定ボス６０のネジ孔６０ａに整列する位置に位置決めされるよう構成される。
【００４９】
(第２特定装飾部品６８について)
前記第２固定ボス６２を介して前記第１取付板部４５に着脱自在に取り付け可能な第２特定装飾部品６８は、図１０,図１１に示す如く、前記第１〜第３通用装飾部品４２,４３,４４とは異なる意匠が前面に施された第２本体部６９における前記第１取付板部４５に設けられた各第２固定ボス６２と対応する位置に、前後方向に貫通する通孔７０ａが穿設された第２被固定部７０が設けられている。また第２被固定部７０の前部には、通孔７０ａより大径で第２固定ボス６２の後端部が嵌挿可能な凹部７０ｂが、前側に開口するように形成されている。そして、各第２被固定部７０の凹部７０ｂに、対応する第２固定ボス６２の後端部を嵌挿した状態で、第２被固定部７０の通孔７０ａに裏側から挿通したネジを第２固定ボス６２のネジ孔６２ａに螺挿することで、第２固定ボス６２に対して第２特定装飾部品６８が後側から取り付けられるよう構成される。そして、第２固定ボス６２に取り付けられた第２特定装飾部品６８は、図９,図１０に示す如く、第２本体部６９が前記窓口２９ｂ(開口部２９ａ)側に延出して前側から視認可能に構成されている。なお、第２特定装飾部品６８における第２本体部６９の一部は、前記開口部２９ａに臨む図柄表示装置１８における表示部１８ａの前側に重なるように位置している。
【００５０】
(第３特定装飾部品７１について)
前記第３固定ボス６３を介して第１通用装飾部品４２に着脱自在に取り付け可能な第３特定装飾部品(別の装飾部品)７１は、第１〜第３通用装飾部品４２,４３,４４とは異なる意匠が前面に施された第３本体部７２における各第３固定ボス６３と対応する位置に、前後方向に貫通する通孔７３ａが穿設された第３被固定部７３が設けられている。そして、第３被固定部７３を、第１取付板部４５と第１通用装飾部品４２の第１板状本体４７または副装飾品４９の装飾板４９ａとの間の前記隙間Ｓ１を介して第３固定ボス６３の後側に臨ませた状態で(図１４(ｂ)参照)、第３被固定部７３の通孔７３ａに裏側から挿通したネジを第３固定ボス６３のネジ孔６３ａに螺挿することで、第３固定ボス６３に対して第３特定装飾部品７１が後側から取り付けられるよう構成される。そして、第３固定ボス６３に取り付けられた第３特定装飾部品７１は、図９,図１０に示す如く、第３本体部７２が前記窓口２９ｂ(開口部２９ａ)側に延出して前側から視認可能に構成されている。なお、第３特定装飾部品７１における第３本体部７２の一部は、前記開口部２９ａに臨む図柄表示装置１８における表示部１８ａの前側に重なるように位置している。
【００５１】
前記第３本体部７２には、図１１に示す如く、前方および一側方(左側方)に開口する係合凹部７２ａが形成されており、該係合凹部７２ａで囲われた後部側に前記第３被固定部７３が設けられている。また係合凹部７２ａは、第３被固定部７３における通孔７３ａの穿設位置から一側方(左側方)の開口に向けて拡開する形状に形成されている。すなわち、第１板状本体４７または装飾板４９ａと第１取付板部４５との間の隙間Ｓ１に側方(窓口２９ｂ側)から第３被固定部７３を挿入する際に、係合凹部７２ａの側壁面に第３固定ボス６３を当接することで、第３特定装飾部品７１は、第３被固定部７３の通孔７３ａが第３固定ボス６３のネジ孔６３ａに整列する位置まで第３固定ボス６３で案内されるよう構成される。そして、複数の第３固定ボス６３が対応する係合凹部７２ａ内に位置することで、第１通用装飾部品４２に対して第３特定装飾部品７１が位置決めされるようになっている。すなわち、係合凹部７２ａが、第３固定ボス６３に対して第３特定装飾部品７１を位置決めする位置決め部として機能している。
【００５２】
(第４特定装飾部品７４について)
前記第４固定ボス６４を介して第２通用装飾部品４３に着脱自在に取り付け可能な第４特定装飾部品(別の装飾部品)７４は、第１〜第３通用装飾部品４２,４３,４４とは異なる意匠が前面に施された第４本体部７５における各第４固定ボス６４と対応する位置に、前後方向に貫通する通孔７６ａが穿設された第４被固定部７６が設けられている。そして、第４被固定部７６を、図１５(ｂ)に示す如く、第４固定ボス６４の後側に臨ませた状態で、第４被固定部７６の通孔７６ａに裏側から挿通したネジを第４固定ボス６４のネジ孔６４ａに螺挿することで、第４固定ボス６４に対して第４特定装飾部品７４が後側から取り付けられるよう構成される。そして、第４固定ボス６４に取り付けられた第４特定装飾部品７４は、図９,図１０に示す如く、第４本体部７５が前記窓口２９ｂ(開口部２９ａ)側に延出して前側から視認可能に構成されている。
【００５３】
前記第４本体部７５には、図１１に示す如く、前方および一側方(右側方)に開口する係合凹部７５ａが形成されており、該係合凹部７５ａで囲われた後部側に前記第４被固定部７６が設けられている。また係合凹部７５ａは、第４被固定部７６における通孔７６ａの穿設位置から一側方(右側方)の開口に向けて拡開する形状に形成されている。すなわち、各係合凹部７５ａ内に対応する第４固定ボス６４を位置させると共に、該係合凹部７５ａの側壁面に第４固定ボス６４を当接させた状態で第４特定装飾部品７４を右方に移動することで、第４被固定部７６の通孔７６ａが第４固定ボス６４のネジ孔６４ａに整列する位置に第４特定装飾部品７４を簡単に位置決めし得るように構成される。すなわち、係合凹部７５ａが、第４固定ボス６４に対して第４特定装飾部品７４を位置決めする位置決め部として機能している。
【００５４】
なお、実施例の各特定装飾部品６５,６８,７１,７４の各本体部６６,６９,７２,７５は、前面に施される意匠が第１〜第３通用装飾部品４２,４３,４４と異なるのみでなく、該本体部６６,６９,７２,７５の外形形状も第１〜第３通用装飾部品４２,４３,４４とは異なるように形成されて、仕様の識別性を向上するようになっている。また、第３特定装飾部品７１および第４特定装飾部品７４は、対応する第１通用装飾部品４２および第２通用装飾部品４３の後側に取り付けた状態で、後述する後部装飾品７９,７９の前側に重なって該後部装飾品７９,７９を隠すよう構成される。
【００５５】
(発光装置７８について)
前記枠状装飾体２９の裏側に、取着部材７７を介して複数の発光装置７８が配設されており、該発光装置７８は、前記窓口２９ｂを介して前側に臨んで前記図柄表示装置１８における表示部１８ａの外周囲を発光装飾し得るよう構成される。窓口２９ｂの上側に位置する発光装置７８は、図１３に示す如く、前記装飾部５９の後側に離間しており、該発光装置７８の前面と前記第１固定ボス６０の後端との間に、前記第１特定装飾部品６５の第１被固定部６７が挿入可能な隙間Ｓ２が画成されるようになっている。また取着部材７７には、前記第１通用装飾部品４２および第２通用装飾部品４３の後方に、対応する通用装飾部品４２,４３より窓口中央側に位置するように後部装飾品７９,７９が配設されている。
【００５６】
(設置部材２２について)
前記設置部材２２は、図３,図１３〜図１５に示す如く、矩形状の背壁２２ａと、該背壁２２ａの周縁から前方へ向けて突出する囲い壁２２ｂとから前方に開口する矩形箱状に形成された部材であって、該設置部材２２は、囲い壁２２ｂの前縁から外側方へ延在するフランジ２２ｃを板状部材２１の後面に当接した状態で該板状部材２１に取り付けられる。また背壁２２ａには、該背壁２２ａの後面に配設された前記図柄表示装置１８の表示部１８ａを前方へ露出させる開口部２２ｄが形成されている。そして、設置部材２２の内側(図柄表示装置１８より前側)に、動作によって演出を行う可動演出装置８０が配設されており、該可動演出装置８０は、図柄表示装置１８の表示部１８ａで表示される図柄変動演出に関連して動作可能に構成されている。
【００５７】
(実施例の作用)
次に、前述のように構成された実施例に係るパチンコ機１０の枠状装飾体２９の作用につき説明する。
【００５８】
図２は、前記特定装飾部品６５,６８,７１,７４が取り付けられていない枠状装飾体２９が配設された第１仕様の遊技盤１３を示すものであって、該第１仕様の遊技盤１３では、前側から前記第１〜第３通用装飾部品４２,４３,４４を視認することができる。また、枠状装飾体２９の窓口２９ｂを介して、前記発光装置７８および後部装飾品７９を視認することができるようになっており、これら通用装飾部品４２,４３,４４、発光装置７８および後部装飾品７９によって図柄表示装置１８の表示部１８ａの周囲が装飾されている。
【００５９】
前記枠状装飾体２９(装飾部５９、第１取付板部４５、通用装飾部品４２,４３)には、前記特定装飾部品６５,６８,７１,７４を取り付けるための固定ボス６０,６２,６３,６４が設けられている。これら固定ボス６０,６２,６３,６４は、前記装飾部５９、球導入部４１、第１通用装飾部品４２の第１板状本体４７の意匠部および第２通用装飾部品４３の第２板状本体５３の意匠部によって前側から見えないように隠れている。すなわち、図２に示す第１仕様の遊技盤１３において、特定装飾部品６５,６８,７１,７４が取り付けられていない未使用の固定ボス６０,６２,６３,６４は、前側から見えないので、該固定ボス６０,６２,６３,６４によって遊技盤１３の見栄えが低下することはない。
【００６０】
前記枠状装飾体２９(装飾部５９、第１取付板部４５、通用装飾部品４２,４３)には、特定装飾部品６５,６８,７１,７４を取り付けるための固定ボス６０,６２,６３,６４が設けられているので、前記板状部材２１から取り外した枠状装飾体２９に、そのままの状態で特定装飾部品６５,６８,７１,７４を取り付けることができる。図９は、前記特定装飾部品６５,６８,７１,７４が取り付けられた枠状装飾体２９が配設された第２仕様の遊技盤１３を示すものであって、該第２仕様の遊技盤１３では、前側から前記第１〜第３通用装飾部品４２,４３,４４および第１〜第４特定装飾部品６５,６８,７１,７４を視認することができる。すなわち、図２と図９または図５と図１０に示す如く、第１仕様の枠状装飾体２９と第２仕様の枠状装飾体２９とでは、特定装飾部品６５,６８,７１,７４の有無によって外観(デザイン)が異なっており、遊技者が第１仕様のパチンコ機１０と第２仕様のパチンコ機１０とを誤認するのを防ぐことができる。言い替えるなら、特定装飾部品６５,６８,７１,７４が取り付けられていない枠状装飾体２９が遊技盤１３に配設されたパチンコ機１０については第１仕様のパチンコ機１０であることが認識可能となると共に、特定装飾部品６５,６８,７１,７４が取り付けられた枠状装飾体２９が遊技盤１３に配設されたパチンコ機１０については第２仕様のパチンコ機１０であることが認識可能となる。すなわち、枠状装飾体２９の全体を、仕様に応じたデザインに設計変更する手間や費用を費やすことなく、異なる仕様のパチンコ機１０で共通の遊技部品(枠状装飾体２９)を使用しつつ、特定装飾部品６５,６８,７１,７４を着脱するだけで、簡単かつ低コストで識別性の高いパチンコ機１０を製造し得る。
【００６１】
例えば、外観や演出内容を受け継いだ同一系統の機種において、前記特図当り抽選(大当り判定)での大当り確率が所定の確率に設定されたパチンコ機１０を第１仕様(フルスペックタイプ)とした場合に、不要となった第１仕様のパチンコ機１０の板状部材２１に配設されている前側から見える枠状装飾体２９を再利用して、第１仕様より大当り確率を高く設定した第２仕様(甘デジタイプ)のパチンコ機１０を製造する際に、枠状装飾体２９に特定装飾部品６５,６８,７１,７４を取り付けるだけで、第１仕様との違いが識別できる第２仕様のパチンコ機１０を簡単に製造し得る。
【００６２】
本実施例では、前記枠状装飾体２９における庇状部３８の内側に特定装飾部品６５,６８,７１,７４を取り付けるようにしているので、該特定装飾部品６５,６８,７１,７４によって遊技領域１３ａを流下するパチンコ球の動きを阻害することなく仕様の識別性を高めることができる。また、第１仕様の枠状装飾体２９に対して特定装飾部品６５,６８,７１,７４を着脱するに際し、通用装飾部品４２,４３,４４を取り外す必要はないので、手間か掛からない。すなわち、第１仕様の枠状装飾体２９から第２仕様の枠状装飾体２９に変更する際に廃棄する部品が発生することはなく、環境負荷の軽減を図ることができ、リユース性が高い。また、枠状装飾体２９に特定装飾部品６５,６８,７１,７４を取り付けても、該特定装飾部品６５,６８,７１,７４が前記発光装置７８および後部装飾品７９と干渉しないように構成してあるので、発光装置７８および後部装飾品７９が配設されている取着部材７７を枠状装飾体２９に支障なく取り付けることができる。更に、実施例の枠状装飾体２９は、前記板状部材２１に対する取付部である本体(枠状基部３７,台板部３９)の形状を変更することなく仕様の識別性を有するので、該枠状装飾体２９が取り付けられる同一形状の第１装着口２７ａが形成された板状部材２１を異なる仕様のパチンコ機１０に用いることができる。すなわち、各仕様毎に異なる形状の装着口が形成された板状部材２１を用意することなく同じ設計の板状部材２１を共通して使用し得るので、各仕様のパチンコ機１０の生産台数に応じて生産調整する必要はなく、また在庫管理も容易となる。
【００６３】
前記第１特定装飾部品６５には、第１固定ボス６０を隠す装飾部５９に整合する係合凹部６６ａが設けられており、該係合凹部６６ａを装飾部５９に整合することで、第１固定ボス６０のネジ孔６０ａに第１特定装飾部品６５の通孔６７ａを整列するように位置決めし得る。すなわち、装飾部５９を利用して第１特定装飾部品６５を位置決めすることができるので、専用の位置決め手段を別途設ける必要はなく、構成を簡略化し得る。また、第１特定装飾部品６５は、複数の装飾部５９によって位置決めし得るので、該第１特定装飾部品６５を枠状装飾体２９に対して安定かつ正しい姿勢で取り付けることができる。
【００６４】
本実施例において、第２仕様としたパチンコ機１０では、遊技者が注目する図柄表示装置１８における表示部１８ａの前側に重なる位置に第２および第３特定装飾部品６８,７１が位置するので、第１仕様との識別性は高く、仕様の違いを遊技者に確実に認識させることができる。また、第３特定装飾部品７１および第４特定装飾部品７４は、通用装飾部品４２,４３の後側に重なるように取り付けられて、該通用装飾部品４２,４３における窓口２９ｂ側の縁部から特定装飾部品７１,７４の一部が延出して前側から視認可能となるので、図５および図１０に示すようにデザインの違いが明確になり、仕様が異なることをより明確に認識させ得る。更に、第３特定装飾部品７１および第４特定装飾部品７４は、前記後部装飾品７９,７９の前側に重なって該後部装飾品７９,７９を隠すので、第１仕様と第２仕様とのデザインの違いがより明確になって識別性が向上する。
【００６５】
(変更例)
本願は前述した実施例の構成に限定されるものではなく、その他の構成を適宜に採用することができる。
(1) 実施例では、特定装飾部品が取り付け可能な固定部(固定ボス)を設ける遊技部品として、板状部材に配設される枠状装飾体を挙げたが、再利用する遊技部品であれば、第１および第２サイド装飾体、始動入賞装置等であってもよい。
(2) 特定装飾部品が取り付け可能な固定部(固定ボス)の配設数や位置は、再利用する場合に取り付けられる特定装飾部品の数や取り付け位置に対応していればよい。
(3) 実施例では、枠状装飾体に着脱自在に取り付けられている通用装飾部品に、特定装飾部品が取り付け可能な固定部(固定ボス)を設けた場合で説明したが、枠状装飾体の本体にのみ固定部(固定ボス)を設けた構成を採用し得る。
(4) 実施例では、第１固定ボスが設けられる装飾部の前面に装飾物を貼着して第１固定ボスを前側から隠すようにしたが、装飾部の前板の前面に非透明な塗料を塗布したり、該装飾部の全体を非透明な材料で形成することで第１固定ボスを前側から隠すようにしてもよい。
(5) 実施例では、庇状部に設けた装飾部を三角柱形状に形成した場合で説明したが、該装飾部の形状はこれに限られるものでなく、四角柱形状やその他の形状であってもよく、該装飾部の形状に整合する形状の位置決め部が特定装飾部品に設けられていればよい。
【００６６】
(6) 実施例では、固定部に対して特定装飾部品をネジ止め固定するよう構成したが、固定部に対して特定装飾部品を固定する手段はネジに限られるものでなく、固定部に係合フックを設け、該係合フックが係合可能な係合部を特定装飾部品に設ける構成であってもよく、この構成によれば固定部に特定装飾部品を取り付ける際にネジ等の固定手段を別途必要としない。
(7) 実施例では、装飾部の後側に設けた固定部に装飾部品を取り付けた状態で、該装飾部品の全体が装飾部の後側に位置するよう構成した装飾部品を挙げて説明したが、該装飾部品としては、固定部に着脱自在に取り付けられる被固定部と、該被固定部を固定部に取り付けた状態で装飾部の前側に位置して該装飾部を隠す隠蔽装飾部とを備える構成を採用しする。そして、隠蔽装飾部を備える装飾部品を採用した場合は、該隠蔽装飾部によって装飾部が前側から見えないようになることで仕様の違いをより明確に識別させることができる。なお、隠蔽装飾部は、装飾部の全体を隠蔽するものであっても一部を隠蔽するものであってもよい。
(8) 実施例では、枠状装飾体に設けた装飾部が発光装置の前側に重なるように構成したが、該装飾部を図柄表示装置の表示部の前側に重なるように設けてもよい。この構成によれば、装飾部の後側に特定装飾部品が取り付けられていない状態と取り付けられている状態とによって、仕様の違いを遊技者に確実に認識させることができる。
(9) 実施例では、第１通用装飾部品および第２通用装飾部品に設けられる第３固定ボスおよび第４固定ボスを、該通用装飾部品に施される不透明な意匠部の後側に設けて前側から隠すようにしたが、該通用装飾部品の全体を不透明な部材で形成して固定ボスを前側から隠すようにしてもよい。
(10) 実施例では、特定装飾部品を固定部(固定ボス)に対して定位置で位置決め固定する構成としたが、固定部に対する固定位置を調節可能に構成してもよい。例えば、特定装飾部品に長孔を形成し、固定部に対して長孔の延在方向に特定装飾部品を移動して任意の位置で固定部に対して特定装飾部品をネジ止め(固定)するようにすればよい。
【００６７】
(11) 実施例では、特定装飾部品として可動しない部品の場合で説明したが、固定部に対して固定される被固定部に、振動等によって可動可能な可動体が支持されているものであってもよい。
(12) 実施例では、第１仕様のパチンコ機の遊技部品を、甘デジタイプとした第２仕様のパチンコ機に流用する場合で説明したが、大当り確率が異なるその他の仕様のパチンコ機に流用することができる。例えば、パチンコ機の大当り確率を基準として、「フルスペックタイプ」(大当り確率が、例えば１／３５０〜１／４００程度)、「ミドルスペックタイプ」(大当り確率が、例えば１／２００〜１／３５０程度)、「甘デジタイプ」(大当り確率が、例えば１／８０〜１／２００程度)に分類した場合に、これら複数種類のタイプのパチンコ機の何れか１つを第１仕様として、該第１仕様のパチンコ機の遊技部品を他のタイプのパチンコ機に流用しても識別性を確保し得る。また、第１仕様のパチンコ機の遊技部品について、固定部に取り付ける装飾部品の数や位置を変えることで、仕様の異なる複数種類のパチンコ機を識別可能に構成することができる。すなわち、遊技部品に第２仕様用の第２固定部、第３仕様用の第３固定部、第４仕様用の第４固定部・・・等のように仕様毎に対応する固定部を設け、遊技部品を流用して構成するパチンコ機の仕様に合わせて装飾部品を対応する固定部に取り付けるようにすればよい。
なお、実施例では、パチンコ機に設定される大当り確率が異なるパチンコ機の間で遊技部品を流用する場合で説明したが、大当り遊技の終了後に、大当り確率が低確率から高確率に変動して大当りが生起され易くなる「確変状態」が付与される確率や、第２始動入賞口へのパチンコ球の入賞率を向上する「変短状態」が付与される確率等、遊技者にとって有利となる遊技状態が付与される確率が異なるパチンコ機の間で遊技部品を流用するものであってもよい。また、各入賞装置にパチンコ球が入賞した際に払い出される賞球数や、１回の大当り遊技で払い出される賞球数が異なるパチンコ機の間で遊技部品を流用するものであってもよい。
(13) 遊技機としては、パチンコ機に限られるものではなく、アレンジボール機やパチンコ球を用いたスロットマシン等、その他各種の遊技機であってもよい。
【符号の説明】
【００６８】
１３ａ 遊技領域
１８ 図柄表示装置
１８ａ 表示部
２１ 板状部材
２９ 枠状装飾体(遊技部品)
２９ａ 開口部
３７ 枠状基部(本体)
３８ 庇状部(本体)
３９ 台板部(本体)
４１ 球導入部(装飾部)
４２ 第１通用装飾部品(通用装飾部品)
４３ 第２通用装飾部品(通用装飾部品)
５９ 装飾部
６０ 第１固定ボス(固定部)
６２ 第２固定ボス(固定部)
６３ 第３固定ボス(固定部)
６４ 第４固定ボス(固定部)
６５ 第１特定装飾部品(装飾部品)
６６ａ 係合凹部(位置決め部)
６８ 第２特定装飾部品(装飾部品)
７１ 第３特定装飾部品(装飾部品)
７４ 第４特定装飾部品(装飾部品)
【図１】
2015119860.tif 000003
【図２】
2015119860.tif 000004
【図３】
2015119860.tif 000005
【図４】
2015119860.tif 000006
【図５】
2015119860.tif 000007
【図６】
2015119860.tif 000008
【図７】
2015119860.tif 000009
【図８】
2015119860.tif 000010
【図９】
2015119860.tif 000011
【図１０】
2015119860.tif 000012
【図１１】
2015119860.tif 000013
【図１２】
2015119860.tif 000014
【図１３】
2015119860.tif 000015
【図１４】
2015119860.tif 000016
【図１５】
2015119860.tif 000017